(57)【要約】【課題】省エネルギーを考慮した空調制御装置および空調制御方法を提供する。【解決手段】室内機１１ａ〜１１ｃまたは外調機１３の何れかが除湿中の場合、外調機制御装置１４の除湿判断部は、室内機１１ａ〜１１ｃまたは外調機１３の何れかが過除湿であるか否かを判断する。外調機１３が過除湿の場合、外調機制御装置１４の除湿判断部は、外調機給気温度を緩和する、すなわち外調機１３からの給気温度を上げる旨の指示を外調機制御装置１４のパラメータ変更部に出す。室内機１１ａ〜１１ｃが過除湿の場合、外調機制御装置１４の除湿判断部は、外調機給気温度を増強する、すなわち外調機１３からの給気温度を下げる旨の指示を外調機制御装置１４のパラメータ変更部６に出す。これにより、過度の除湿状態を防ぐことができるので、省エネルギー化を促進することが可能となる。【選択図】  図１
2010266199.tif 000002
【特許請求の範囲】
【請求項１】
被空調空間の空気調和を行う少なくとも１つの室内機と、前記被空調空間および前記室内機の少なくとも一方に供給する空気を熱処理する外調機とを有する空調システムの空調制御装置であって、
前記室内機による除湿の状態と前記外調機による除湿の状態とを比較していずれか一方が他方より過剰に除湿を行う過除湿の状態にあるか否かを判定する判定手段と、
この判定手段により前記室内機および前記外調機のいずれか一方が過除湿の状態にあると判定されると、前記外調機の制御パラメータを変更するパラメータ変更手段と
を備えたことを特徴とする空調制御装置。
【請求項２】
請求項１記載の空調制御装置において、
前記判定手段は、
前記外調機が過除湿であると判定した場合、前記外調機の給気温度の設定値を緩和する指示を前記パラメータ変更手段に送出し、前記室内機が過除湿であると判定した場合、前記外調機の給気温度の設定値を増強する指示を前記パラメータ変更手段に送出する
ことを特徴とする空調制御装置。
【請求項３】
被空調空間の空気調和を行う少なくとも１つの室内機と、前記被空調空間および前記室内機の少なくとも一方に供給する空気を熱処理する外調機とを有する空調システムの空調制御方法であって、
前記室内機による除湿の状態と前記外調機による除湿の状態とを比較していずれか一方が他方より過剰に除湿を行う過除湿の状態にあるか否かを判定する判定ステップと、
この判定ステップにより、前記室内機および前記外調機のいずれか一方が過除湿の状態にあると判定されると、前記外調機の制御パラメータを変更するパラメータ変更ステップと
を有することを特徴とする空調制御方法。
【請求項４】
請求項３記載の空調制御方法において、
前記判定ステップは、前記外調機が過除湿であると判定された場合、前記外調機の給気温度の設定値を緩和する指示を前記パラメータ変更ステップに送出し、前記室内機が過除湿であると判定された場合、前記外調機の給気温度の設定値を増強する指示を前記パラメータ変更ステップに送出する
ことを特徴とする空調制御方法。
【発明の詳細な説明】
【技術分野】
【０００１】
本発明は、空調システムの空調制御装置および空調制御方法に関するものであり、特に、室内機または被空調空間の少なくとも一方に熱処理をした空気を供給する外調機の運転を制御する空調制御装置および空調制御方法に関するものである。
【背景技術】
【０００２】
従来より、建造物の空調制御を図る空気調和システムとして、外気を取り入れて一次的に加熱または冷却などの熱処理を行う外調機と、この熱処理された空気を加熱または冷却処理して室内に供給する室内機とから構成されるシステムが存在する（例えば、特許文献１、２参照。）。このようなシステムでは、外調機は各室内機に供給する空気が季節ごとに予め決められた温度となるように制御する一方、室内機は任意に設定・変更される設定温度に応じた給気温度の制御を行っている。
【先行技術文献】
【特許文献】
【０００３】
【特許文献１】特開平１１−２３０５７８号公報
【特許文献２】特開平６−１５９７３０号公報
【発明の概要】
【発明が解決しようとする課題】
【０００４】
しかしながら、従来の方法では、外調機と室内機がそれぞれ独立して制御を行っているため、エネルギー消費量を抑えることが困難であった。
例えば、室内機側の負荷が限界に達したとしても、外調機へ負荷を割り当てることができなかった。
また、室内機では室内の設定温度に基づいて空調制御を行うため、外調機および室内機の一方では暖房運転、他方では冷房運転を行う場合があった。この場合には、冷温熱の相互干渉による冷暖混合損失が発生し、エネルギーの大きな無駄が生じていた。
さらに、外調機と室内機とが共に加熱または冷却処理を行う場合でも、外調機と室内機で行う時間帯等によりエネルギーコストが異なるにもかかわらず、このことを踏まえた制御が行われていなかった。
また、夏季の場合、冷風を供給するための負荷を外調機または室内機の一方が持ちすぎると、過度な除湿を行うことになり、結果としてエネルギーを無駄に使用することになっていた。
そこで、本発明は、上述したような課題を解決するためになされたものであり、省エネルギーを考慮した空調制御装置および空調制御方法を提供することを目的とする。
【課題を解決するための手段】
【０００５】
上述したような課題を解決するために、本発明にかかる空調制御装置は、被空調空間の空気調和を行う少なくとも１つの室内機と、被空調空間および室内機の少なくとも一方に供給する空気を熱処理する外調機とを有する空調システムの空調制御装置であって、室内機による除湿の状態と外調機による除湿の状態とを比較していずれか一方が他方より過剰に除湿を行う過除湿の状態にあるか否かを判定する判定手段と、この判定手段により室内機および外調機のいずれか一方が過除湿の状態にあると判定されると、外調機の制御パラメータを変更するパラメータ変更手段とを備えたことを特徴とする。
【０００６】
上記空調制御装置において、判定手段は、外調機が過除湿であると判定した場合、外調機の給気温度の設定値を緩和する指示をパラメータ変更手段に送出し、室内機が過除湿であると判定した場合、外調機の給気温度の設定値を増強する指示をパラメータ変更手段に送出するようにしてもよい。
【０００７】
また、本発明にかかる空調制御方法は、被空調空間の空気調和を行う少なくとも１つの室内機と、被空調空間および室内機の少なくとも一方に供給する空気を熱処理する外調機とを有する空調システムの空調制御方法であって、室内機による除湿の状態と外調機による除湿の状態とを比較していずれか一方が他方より過剰に除湿を行う過除湿の状態にあるか否かを判定するステップと、室内機および外調機のいずれか一方が過除湿の状態にあると判定されると、外調機の制御パラメータを変更するステップとを有することを特徴とする。
【０００８】
上記空調制御方法において、判定ステップは、外調機が過除湿であると判定された場合、外調機の給気温度の設定値を緩和する指示をパラメータ変更ステップに送出し、室内機が過除湿であると判定された場合、外調機の給気温度の設定値を増強する指示をパラメータ変更ステップに送出するようにしてもよい。
【０００９】
上述したような課題を解決するために参考例にかかる空調制御装置は、被空調空間の空気調和をそれぞれ行う複数の室内機と、室内機または被空調空間の少なくとも一方に供給する空気を熱処理する外調機とを有する空調システムの空調制御装置であって、室内機のそれぞれについて空調負荷がその室内機の空調能力を超えているか否かを判定する判定手段と、この判定手段により空調能力を超えていると判定された室内機の台数に基づいて、外調機の制御パラメータを変更するパラメータ変更手段とを備えたことを特徴とする。
【００１０】
上記空調制御装置において、被空調空間の温度を設定する設定手段と、被空調空間の温度を測定する測定手段とをさらに備え、判定手段は、被空調空間の設定温度と、被空調空間の測定温度とに基づいて、空調負荷が空調能力を超えている室内機を判定するようにしてもよい。
【００１１】
上記空調制御装置において、被空調空間からの排気の露点温度を測定する測定手段をさらに備え、判定手段は、被空調空間からの排気の露点温度が所定の値より小さいと、被空調空間の空調負荷が、被空調空間に対応する室内機の冷房の空調能力を超えていると判定するようにしてもよい。
【００１２】
上記空調制御装置において、外調機と室内機の加熱、冷却、送風などの何れかの運転モードを検出する検出手段をさらに備え、パラメータ変更手段は、検出手段により外調機と室内機の運転モード、例えば加熱、冷却、除湿等が異なることが検出されると、外調機の制御パラメータを変更するようにしてもよい。
ここで、室内機の給気温度、被空調空間からの排気温度または外調機の給気温度と環境変化のうち少なくとも何れか１つを測定する測定手段とをさらに備え、検出手段は、室内機の給気温度、排気温度または外気温度と環境変化のうち少なくとも何れか１つに基づいて室内機の運転モードを検出するようにしてもよい。
【００１３】
上記空調制御装置において、外調機および室内機でそれぞれ消費するエネルギーの運転コストを算出するコスト算出手段をさらに備え、パラメータ変更手段は、運転コストが最小になるように外調機の制御パラメータを変更するようにしてもよい。
【００１４】
上記空調制御装置において、室内機の給気温度と、被空調空間からの排気温度と、外気温度とを測定する測定手段と、外気露点温度と給気温度、および外気露点温度と排気露点温度とを比較し、除湿状態であるか否かを判断する除湿判断手段とをさらに備え、パラメータ変更手段は、除湿判断手段により除湿であると判断された場合、外調機の制御パラメータを変更するようにしてもよい。
【００１５】
また、参考例にかかる空調制御方法は、被空調空間の空気調和をそれぞれ行う複数の室内機と、室内機または被空調空間の少なくとも一方に供給する空気を熱処理する外調機とを有する空調システムの空調制御方法であって、室内機のそれぞれについて空調負荷がその室内機の空調能力を超えているか否かを判定するステップと、空調能力を超えていると判定された室内機の台数に基づいて、外調機の制御パラメータを変更するステップとを有することを特徴とする。
【００１６】
上記空調制御方法において、被空調空間からの排気の露点温度を測定するステップと、被空調空間からの排気の露点温度が所定の値より小さいと、被空調空間の空調負荷が、被空調空間に対応する室内機の冷房の空調能力を超えていると判定するステップとをさらに有するようにしてもよい。
【００１７】
上記空調制御方法において、外調機と室内機の加熱、冷却または送風の何れかの運転モードを検出するステップと、外調機と室内機の運転モードが異なることが検出されると、外調機の制御パラメータを変更するステップとをさらに有するようにしてもよい。
【００１８】
上記空調制御方法において、外調機および室内機でそれぞれ消費するエネルギーの運転コストを算出するステップと、運転コストが最小になるように外調機の制御パラメータを変更するステップとをさらに有するようにしてもよい。
【００１９】
上記空調制御方法において、室内機の給気温度と、被空調空間からの排気露点温度と、外気露点温度とを測定するステップと、外気露点温度と給気温度、および外気露点温度と排気露点温度とを比較し、除湿状態であるか否かを判断するステップと、除湿であると判断された場合、外調機の制御パラメータを変更するステップとをさらに有するようにしてもよい。
【発明の効果】
【００２０】
本発明によれば、制御パラメータを変更して過除湿を解消することにより、無駄なエネルギー消費を抑え、より効率のよい運転と省エネルギーとを実現することができる。
【図面の簡単な説明】
【００２１】
【図１】本発明を含むの第１の実施の形態にかかる空調機の運転制御装置を適用した空気調和システム全体の構成を示す図である。
【図２】本発明を含むの第１の実施の形態における外調機制御装置１４の構成を示すブロック図である。
【図３】外調機制御装置１４の動作を示すフローチャートである。
【図４】外調機制御装置１４の動作を示すフローチャートである。
【図５】外調機制御装置１４の動作を示すフローチャートである。
【図６】外調機給気温度設定変更ロジックを説明する図である。
【図７】第１の参考例の実施の形態における外調機制御装置１４の構成を示すブロック図である。
【図８】第１の参考例の実施の形態における外調機制御装置１４の動作を示すフローチャートである。
【図９】第２の参考例の実施の形態における外調機制御装置１４の構成を示すブロック図である。
【図１０】第２の参考例の実施の形態における外調機制御装置１４の動作を示すフローチャートである。
【図１１】第３の参考例の実施の形態における外調機制御装置１４の構成を示すブロック図である。
【図１２】第３の参考例の実施の形態における外調機制御装置１４の動作を示すフローチャートである。
【図１３】本発明の第２の実施の形態における外調機制御装置１４の構成を示すブロック図である。
【図１４】本発明の第２の実施の形態における外調機制御装置１４の動作を示すフローチャートである。
【発明を実施するための形態】
【００２２】
以下、図面を参照して本発明の実施の形態について詳細に説明する。
【００２３】
［第１の実施の形態］
図１は、本発明を含む第１の実施の形態にかかる空調システムの空調制御装置を適用した空気調和システム全体の構成を示す図である。
空気調和システム１は、熱処理した空気（ＳＡ）を対応する被空調空間２ａ〜２ｃに供給する室内機１１ａ〜１１ｃと、対応する室内機１１ａ〜１１ｃの運転を制御する室内機制御装置１２ａ〜１２ｃと、外気を熱処理して室内機１１ａ〜１１ｃまたは被空調空間２ａ〜２ｃに供給する外調機１３と、外調機の運転を制御する外調機制御装置１４とを有する。また、センサとして、被空調空間２ａ〜２ｃの室内温度を測定する内部センサ２１ａ〜２１ｃと、被空調空間２ａ〜２ｃからの排気（ＥＡ）の状態を測定する排気センサ２２と、外調機１３から送出される空気の状態を測定する外調機給気センサ２３、外気温度を測定する外気センサ２４が設けられている。さらに、被空調空間２ａ〜２ｃの設定温度を設定する設定器３１ａ〜３１ｃも備えられている。
【００２４】
室内機１１ａ〜１１ｃは、エアハンドリングユニット、ファンコイルユニット、パッケージエアコンなどの公知の熱源設備から構成され、室内機制御装置１２ａ〜１２ｃの指示に基づいて、外調機１３から供給される空気または被空調空間２ａ〜２ｃからの還気（ＲＡ）に加熱、冷却、除湿、送風等の運転モードに応じた熱処理を施し、それぞれ対応する被空調空間２ａ〜２ｃに送出する。ここで、室内機１１ａ〜１１ｃの給気温度は、室内機１１ａ〜１１ｃへの送水系統ごとに設けられた送水温度センサ（図示しない）により測定される送水温度に基づいて判断される。送水温度センサにより計測された送水温度に関するデータは、外調機制御装置１４に送出される。
【００２５】
室内機制御装置１２ａ〜１２ｃは、室内機制御装置１２ａ〜１２ｃの各部を制御するＣＰＵなどの演算装置、メモリやハードディスクなどの記録装置、蛍光表示管、液晶ディスプレイ、有機ＥＬ（Electro Luminescence）などの画面表示装置、タッチパネル、ボタン、ポインティングデバイスなどの情報入力装置、外部装置と各種信号の送受信を行う入出力装置などから構成される。このような室内機制御装置１２ａ〜１２ｃは、室内機１１ａ〜１１ｃ、内部センサ２１ａ〜２１ｃおよび設定器３１ａ〜３１ｃと電気的に接続されており、それぞれから受信する内部温度、室内機給気温度、室内温度および設定温度に基づいて室内機１１ａ〜１１ｃの運転を制御する。
【００２６】
外調機１３は、エアハンドリングユニット等の公知の熱源設備から構成され、外調機制御装置１４の指示に基づいて、外気に加熱、冷却、送風等の運転モードに応じた熱処理を施し、室内機１１ａ〜１１ｃまたは室内機１１ａ〜１１ｃを介さず直接に被空調空間２ａ〜２ｃに送出する。
【００２７】
図２は、外調機制御装置１４の構成を示すブロック図である。外調機制御装置１４は、各部を制御するＣＰＵなどの演算装置、メモリやハードディスクなどの記録装置、蛍光表示管、液晶ディスプレイ、有機ＥＬなどの画面表示装置、タッチパネル、ボタン、ポインティングデバイスなどの情報入力装置、外部機器との各種情報の送受信を行う入出力装置等を備えたコンピュータと、このコンピュータにインストールされたプログラムとから構成される。すなわちハードウェア装置とソフトウェアが協働することによって、上記ハードウェア資源がプログラムによって制御され、後述するＩ／Ｆ１４１、判定部１４２、検出部１４３、コスト算出部１４４、除湿判断部１４５およびパラメータ変更部１４６とが実現される。
【００２８】
Ｉ／Ｆ１４１は、外調機１３、室内給気センサ、内部センサ２１ａ〜２１ｃ、排気センサ２２、外調機給気センサ２３、外気センサ２４、設定器３１ａ〜３１ｃと電気的に接続されており、それぞれから室内給気温度、室内温度、排気温度、外調機給気温度、設定温度等のデータを受信し、この受信データを必要に応じて判定部１４２、検出部１４３、コスト算出部１４４および除湿判断部１４５に送出する。
【００２９】
判定部１４２は、能力不足の室内機１１ａ〜１１ｃが存在するか否かを判定し、この判定結果に基づく指示をパラメータ変更部１４６に送信する。
検出部１４３は、外調機１３の運転モードとは異なるモードで運転している室内機１１ａ〜１１ｃが存在するか否かを検出し、この検出結果に基づく指示をパラメータ変更部１４６に送信する。
コスト算出部１４４は、室内機１１ａ〜１１ｃと外調機１３との運転コストの差を算出し、その差が大きいか否かを判定し、この判定結果に基づく指示をパラメータ変更部１４６に送信する。
除湿判断部１４５は、室内機１１ａ〜１１ｃまたは外調機１３が除湿中であるか否かを判定し、この判定結果に基づく指示をパラメータ変更部１４６に送信する。
パラメータ変更部１４６は、判定部１４２、検出部１４３、コスト算出部１４４または除湿判断部１４５からの指示を受信すると、その指示を外調機給気温度設定変更ロジックに基づいて外調機１３の設定温度や運転モードについての制御パラメータを生成し、外調機１３に送信する。
【００３０】
次に、図３〜５を参照して、本実施の形態にかかる空気調和システムの動作について説明する。
本実施の形態にかかる空気調和システムは、外調機１３、室内給気センサ、内部センサ２１ａ〜２１ｃ、排気センサ２２、外調機給気センサ２３および設定器３１ａ〜３１ｃから受信する室内給気温度、内部温度、排気温度、外調機給気温度、設定温度等のデータに基づいて、外調機制御装置１４が外調機１３の運転を制御することを特徴とするものである。
【００３１】
まず、判定部１４２は、能力不足の室内機が存在するか否かを判定する（ステップＳ３０１）。本実施の形態において、判定部１４２は、室内温度と設定温度とがほぼ同じではない状態が所定時間以上続くと、その被空調空間に対応する室内機の空調能力が、空調負荷に対して不足していると判定する。また、判定部１４２は、排気温度が所定の範囲内にない場合や、排気露点温度がその下限値を下回っている場合（冷房能力不足）などにも、その被空調空間に対応する室内機の空調能力が不足していると判定する。
なお、能力不足の室内機を判定する基準となる上記所定時間、排気温度の所定範囲、排気露点温度の下限値等は適宜自由に設定することができる。
【００３２】
空調能力が不足している室内機が存在する場合（ステップＳ３０１：ＹＥＳ）、判定部１４２は、室内機の冷房能力が不足している室内機の台数と暖房能力が不足している室内機の台数とを比較する（ステップＳ３０２，３０３）。
冷房能力が不足している台数が暖房能力が不足している台数よりも多い場合（ステップＳ３０２：ＹＥＳ）、判定部１４２は、パラメータ変更部１４６に外調機１３の給気温度を下げる旨の指示を出す（ステップＳ３０４）。
暖房能力が不足している台数が冷房能力が不足している台数よりも多い場合（ステップＳ３０２：ＮＯ、ステップＳ３０３：ＹＥＳ）、判定部１４２は、パラメータ変更部１４６に外調機１３の給気温度を上昇させる旨の指示を出す（ステップＳ３０５）。
冷房能力が不足している台数と暖房能力が不足している台数とが等しい場合（ステップＳ３０２：ＮＯ、ステップＳ３０３：ＮＯ）、判定部１４２は、パラメータ変更部１４６に外調機１３の給気温度を変更しない旨の指示を出す（ステップＳ３０６）。
【００３３】
このように、本実施の形態によれば、能力不足の室内機の台数に基づいて外調機の設定を変更するようにしたので、室内機と外調機の負荷を連携することができ、最適な空調機制御を行うことが可能となる。
【００３４】
空調能力が不足している室内機が存在しない場合（ステップＳ３０１：ＮＯ）、検出部１４３は、外調機１３の運転モードとは異なるモードで運転している室内機１１ａ〜１１ｃが存在するか否かを検出する（ステップＳ４０１）。ここで、運転モードとは、暖房運転、冷房運転または送風運転のことを意味する。
検出部１４３が室内機１１ａ〜１１ｃの運転モードを判断する方法としては、室内機１１ａ〜１１ｃから直接に運転モードに関する情報を得る、室内機１１ａ〜１１ｃの送水温度から判断する、外調機給気温度と季節から判断する等の方法が挙げられる。
【００３５】
送水温度で運転モードを判断する場合、検出部１４３は、例えば、送水温度が所定の温度以上の場合には暖房モードで、送水温度が所定の温度以下の場合には冷房モードで室内機１１ａ〜１１ｃが運転していると判断する。運転モードの判断基準となる所定の温度は、適宜自由に設定することができる。
【００３６】
また、外調機給気温度と季節から判断する場合、検出部１４３は、外調機制御装置１４に内蔵された時計およびカレンダー等から季節を判断し、この季節と外調機１３からの給気温度に基づいて、室内機１１ａ〜１１ｃの運転モードを判断する。例えば、春や秋などの中間期の場合、外調機給気温度が１８℃以上のときには室内機１１ａ〜１１ｃは冷房運転を行っていると判断する。なお、このような運転モードの判断基準となる季節と外調機給気温度の関係については、適宜自由に設定することができる。
【００３７】
外調機１３の運転モードと異なる運転モードの室内機１１ａ〜１１ｃが存在する場合（ステップＳ４０１：ＹＥＳ）、検出部１４３は、外調機給気温度の設定を緩和する旨の指示をパラメータ変更部１４６に出す。例えば、室内機１１ａ〜１１ｃが冷房モード、外調機１３が暖房モードで運転している場合、検出部１４３は、外調機１３からの給気温度を下げる旨の指示を出す。また、室内機１１ａ〜１１ｃが暖房モード、外調機１３が冷房モードで運転している場合、検出部１４３は、外調機１３からの給気温度を上げる旨の指示を出す。
【００３８】
このように本実施の形態によれば、室内機と外調機で運転モードが異なる場合に外調機の設定を変更するようにしたので、冷暖混合損失を抑えることができ、結果として省エネルギー化を促進することが可能となる。
【００３９】
外調機１３の運転モードと室内機１１ａ〜１１ｃの運転モードが同じ場合（ステップＳ４０１：ＮＯ）、コスト算出部１４４は、室内機１１ａ〜１１ｃと外調機１３とでそれぞれ消費するエネルギーのエネルギーコストを算出し、そのエネルギーコストの差が大きいか否かを判定する（ステップＳ４０２）。コストの算出方法としては、例えば、１ＭＪの熱量を生成するのにかかるコストを、使用電力量や熱効率等に基づいて、室内機１１ａ〜１１ｃと外調機１３との場合でそれぞれ算出する。このとき、時間帯や季節等を変数として用いる、すなわち夜間電力や季節ごとに変動する各種コストに基づいて、コストを算出するようにしてもよい。
【００４０】
室内機１１ａ〜１１ｃと外調機１３との運転コストの差が所定の値より大きい場合（ステップＳ４０２：ＹＥＳ）、コスト算出部１４４は、室内機１１ａ〜１１ｃと外調機１３の運転コストの差が所定の値より高い否かを判定する。
外調機１３の運転コストが高い場合（ステップＳ４０４：ＹＥＳ）、コスト算出部１４４は、外調機給気温度の設定を緩和する旨の指示をパラメータ変更部１４６に出す（ステップＳ４０６）。
室内機１１ａ〜１１ｃの運転コストが高い場合（ステップＳ４０４：ＮＯ、ステップＳ４０５：ＹＥＳ）、コスト算出部１４４は、外調機給気温度の設定を増強する旨の指示を出す（ステップＳ４０７）。例えば、外調機１３が暖房モードで運転している場合、コスト算出部１４４は、外調機１３からの給気温度をさらに上げる旨の指示を出す。また、外調機１３が冷房モードで運転している場合、コスト算出部１４４は、外調機１３からの給気温度をさらに下げる旨の指示をパラメータ変更部１４６に出す。
室内機１１ａ〜１１ｃと外調機１３の運転コストの差が所定の値よりも高くない場合（ステップＳ４０４：ＮＯ、ステップＳ４０５：ＮＯ）、コスト算出部１４４は、外調機給気温度を変更しない旨の指示をパラメータ変更部１４６に出す（ステップＳ４０８）。
なお、室内機１１ａ〜１１ｃおよび外調機１３の運転コストの差を比較する上記所定の値は、適宜自由に設定することができる。
【００４１】
このように、本実施の形態によれば、エネルギーコストを算出し、このコストに基づいて外調機の設定を変更するようにしたので、省コスト化を促進することが可能となる。
【００４２】
室内機１１ａ〜１１ｃと外調機１３とのエネルギーコストのコスト差が所定の値より大きくない場合（ステップＳ４０２：ＮＯ）、除湿判断部１４５は、室内機１１ａ〜１１ｃまたは外調機１３が除湿中であるか否かを判定する（ステップＳ４０３）。この除湿中であるか否かは、外気露点温度、室内給気温度および排気露点温度に基づいて判定する。すなわち、外気露点温度≧外調機給気温度または外気露点温度≧排気露点温度の場合、除湿判断部１４５は、室内機１１ａ〜１１ｃは除湿中であると判定する。また、外気露点温度≦室内給気温度かつ外気露点温度≦排気露点温度である場合、除湿判断部１４５は、室内機１１ａ〜１１ｃは除湿中であると判定する。
【００４３】
室内機１１ａ〜１１ｃおよび外調機１３が除湿中ではない場合（ステップＳ４０３：ＮＯ）、外調機制御装置１４は、ステップＳ４０４の処理を行う。
【００４４】
室内機１１ａ〜１１ｃまたは外調機１３の何れかが除湿中の場合（ステップＳ４０３：ＹＥＳ）、除湿判断部１４５は、室内機１１ａ〜１１ｃまたは外調機１３の何れかが過除湿であるか否かを判断する。
外調機１３が過除湿の場合（ステップＳ５０１：ＹＥＳ）、除湿判断部１４５は、外調機給気温度を緩和する、すなわち外調機１３からの給気温度を上げる旨の指示をパラメータ変更部１４６に出す（ステップＳ５０３）。
室内機１１ａ〜１１ｃが過除湿の場合（ステップＳ５０１：ＮＯ、ステップＳ５０２：ＹＥＳ）、除湿判断部１４５は、外調機給気温度を増強する、すなわち外調機１３からの給気温度を下げる旨の指示をパラメータ変更部１４６に出す（ステップＳ５０４）。
室内機１１ａ〜１１ｃおよび外調機１３の何れも過除湿ではない場合（ステップＳ５０１：ＮＯ、ステップＳ５０２：ＮＯ）、除湿判断部１４５は、外調機１３の給気温度を変更しない旨の指示をパラメータ変更部１４６に出す（ステップＳ５０５）。
上記過除湿の程度は、適宜自由に設定することができる。
【００４５】
このように、本実施の形態によれば、過度の除湿状態を防ぐことができるので、省エネルギー化を促進することが可能となる。
【００４６】
パラメータ変更部１４６は、判定部１４２、検出部１４３、コスト算出部１４４または除湿判断部１４５からの指示を受信すると、その指示を外調機給気温度設定変更ロジックに基づいて外調機１３の運転モードや設定温度の設定変更に関する制御パラメータを生成する（ステップＳ３０７）。ここで、外調機給気温度設定変更ロジックについて図６を参照して説明する。図６は、外調機給気温度設定変更ロジックを説明する図である。
【００４７】
外調機１３の運転モードが暖房の場合、パラメータ変更部１４６は、設定緩和要求指示を受信すると、外調機１３の設定温度を下げる旨の制御パラメータを生成する。一方、設定増強要求を受信すると、パラメータ変更部１４６は、外調機１３の設定温度を上げる旨の制御パラメータを生成する。
外調機１３の運転モードが冷房の場合、パラメータ変更部１４６は、設定緩和要求を受信すると、外調機１３の設定温度を上げる旨の制御パラメータを生成する。一方、設定増強要求を受信すると、外調機１３の設定温度を下げる旨の制御パラメータを生成する。
外調機１３の運転モードが送風の場合や外調機１３が運転していない場合、パラメータ変更部１４６は、設定緩和要求を受信しても、外調機の設定温度を変更しない。一方、設定増強要求を受信すると、パラメータ変更部１４６は、室内機１１ａ〜１１ｃの運転モードが暖房の場合には給気温度の設定値を給気温度の計測値から＋１℃、室内機１１ａ〜１１ｃの運転モードが冷房の場合には給気温度の設定値を給気温度の測定値から−１℃と設定する制御パラメータを生成する。
【００４８】
制御パラメータを生成すると、外調機制御装置１４は、その制御パラメータを外調機１３に送出する。外調機１３は、受信した制御パラメータに基づいて、設定温度、運転モード等の変更を行う（ステップＳ３０８）。
【００４９】
上述したように本実施の形態によれば、外調機と室内機それぞれの運転モードおよび負荷に応じて最適となるように外調機の制御パラメータを変更するようにしたので、室内機の負荷と外調機との負荷バランスをとることが可能となり、結果として最適な空調制御を実現することができる。
【００５０】
なお、被空調空間２ａ〜２ｃ、室内機１１ａ〜１１ｃおよび室内機制御装置１２ａ〜１２ｃの数量は３つに限定されず、適宜自由に変更することができる。
【００５１】
また、本実施の形態において、ステップＳ３０１で能力不足を判定する基準となる排気温度と排気露点温度、ステップＳ４０３で除湿中か否かを判定する基準となる排気露点温度の代わりに、被空調空間２ａ〜２ｃからの還気ＲＡの還気温度または還気露点温度を用いるようにしてもよい。この場合、室内機１１ａ〜１１ｃまたは還気ＲＡの室内機１１ａ〜１１ｃへの送出経路に還気ＲＡの状態を測定するセンサを設け、このセンサの測定値を外調機制御装置１４に送出するようにすることにより実現することができる。
【００５２】
［第１の参考例］
次に、第１の参考例に係る実施の形態について説明する。なお、本実施の形態において、上述した第１の実施の形態と同等の構成要素には、同じ名称および符号を付して、適宜説明を省略する。
【００５３】
本実施の形態にかかる空調システムの空調制御装置を適用した空気調和システムは、第１の実施の形態と同様に、ＳＡを対応する被空調空間２ａ〜２ｃに供給する室内機１１ａ〜１１ｃと、対応する室内機１１ａ〜１１ｃの運転を制御する室内機制御装置１２ａ〜１２ｃと、外気を熱処理して室内機１１ａ〜１１ｃまたは被空調空間２ａ〜２ｃに供給する外調機１３と、外調機の運転を制御する制御装置１４とを有する。
【００５４】
図７は、本実施の形態の外調機制御装置１４の構成を示すブロック図である。外調機制御装置１４は、第１の実施の形態で述べたように、コンピュータとこのコンピュータにインストールされたプログラムとから構成され、ハードウェア装置とソフトウェアが協働することによって、上記ハードウェア資源がプログラムによって制御され、Ｉ／Ｆ１４１、判定部１４２およびパラメータ変更部１４６とが実現される。このような外調機制御装置１４は、室内機１１ａ〜室内機１１ｃの動作状況を監視し、その動作状況に応じて外調機１３の制御パラメータを変更する。
【００５５】
Ｉ／Ｆ１４１は、室内機制御装置１２ａ、外調機１３、室内給気センサ、内部センサ２１ａ〜２１ｃ、排気センサ２２、外調機給気センサ２３、外気センサ２４、設定器３１ａ〜３１ｃ等と電気的に接続されており、それぞれから室内給気温度、室内温度、排気温度、外調機給気温度、設定温度、給気露点温度、排気露点温度等のデータを受信し、この受信データを必要に応じて判定部１４２に送出する。
【００５６】
判定部１４２は、Ｉ／Ｆ１４１から受信したデータから室内機１１ａ〜１１ｃの空調負荷が予め定められた所定の値を超えているか否かを判定し、この判定結果に基づく指示をパラメータ変更部１４６に送信する。この所定の値は、任意の値とすることができるが、例えば、室内機１１ａの空調能力の最大値としてもよいし、最大値に近い値としてもよい。
【００５７】
パラメータ変更部１４６は、判定部１４２からの指示を受信すると、この指示をその指示を外調機給気温度設定変更ロジックに基づいて外調機１３の設定温度や運転モードについての制御パラメータを生成し、外調機１３等に送信する。
【００５８】
次に、図８を参照して、本実施の形態にかかる空気調和システムの動作について説明する。図８は、本実施の形態の外調機制御装置１４の動作を示すフローチャートである。
【００５９】
外調機制御装置１４の判定部１４２は、Ｉ／Ｆ１４１を介して、外調機１３、室内給気センサ、内部センサ２１ａ〜２１ａ、排気センサ２２、外調機給気センサ２３、外気センサ２４、設定器３１ａ〜３１ｃより室内給気温度、排気露点温度、給気露点温度、還気温度、室内温度、排気温度、外調機給気温度、設定温度等の各種データを受信し、この受信データに基づいて、能力不足の室内機が存在するか否かを判定する（ステップＳ８０１）。この判定方法について、以下に述べる。
【００６０】
まず、判定部１４２は、室内機１１ａ〜１１ｃからの能力情報に基づいて判定する。例えば、判定部１４２は、Ｉ／Ｆ１４１を介して室内機制御装置１２ａから室内機の運転状況に関する情報を取得し、室内機１１ａが最大出力または最大出力に近い値で運転していると、室内機１１ａに対する空調負荷が室内機１１ａの能力を超えていると判定する。
【００６１】
なお、室内温度と室内温度設定とに基づいて判定するようにしてもよい。この場合、例えば、判定部１４２は、内部センサ２１ａにより検出された被空調空間２ａの室内温度と設定器３１ａにより設定された被空調空間２ａの設定温度との間に所定の差があるとき、室内機１１ａに対する空調負荷が室内機１１ａの能力を超えていると判定する。ここで、判定部１４２は、室内温度が設定温度よりも低い場合は暖房能力不足、室内温度が設定温度よりも高い場合は冷房能力不足であると判定する。室内温度と設定温度の差は、適宜自由に設定することができる。
【００６２】
また、排気温度または露点温度に基づいて判定するようにしてもよい。例えば、夏期において、被空調空間２ａからの排気ＥＡの排気露点温度が被空調空間２ａへの外調機１３からの給気の給気露点温度よりも所定の値より低い場合、判定部１４２は、室内機１１ａの冷房能力が不足していると判定する。また、判定部１４２は、排気ＥＡの温度（排気温度）または被空調空間２ａからの還気ＲＡの温度（還気温度）が所定の値より高い場合、室内機１１ａの冷房能力が不足していると判定する。さらに、判定部１４２は、上記排気温度または上記還気温度が所定の値より低い場合、室内機１１ａの暖房能力が不足していると判定する。ここで、排気露点温度および排気温度は排気センサ２２に基づいて、給気露点温度はセンサ２３に基づいて、還気温度は室内機１１ａに設けた図示しない還気温度センサに基づいてそれぞれ計測され、それぞれＩ／Ｆ１４１を介して判定部１４２に送信される。なお、上記所定の値は、適宜自由に設定することができる。
【００６３】
また、室内機熱交換器（図示せず）から室内機へ供給される冷媒の温度差に基づいて判定するようにしてもよい。ここで、室内機熱交換器とは、ボイラ、冷凍機、冷却塔、熱交換器、その他の室内機１１ａ〜１１ｃでの熱処理に用いられる空気、水、不凍液等の冷媒に加熱や冷却等の熱処理を行い、その冷媒を室内機１１ａに供給する装置である。例えば、その室内機熱交換器から室内機１１ａに供給される冷媒の温度（以下、室内機入口温度という）が、室内機１１ａから熱交換機に排出される冷媒の温度（以下、室内機出口温度という）よりも所定の値より高い場合、判定部１４２は、室内機１１ａの冷房能力が不足していると判定する。一方、室内機入口温度が室内機出口温度よりも所定の値より低い場合、判定部１４２は、室内機１１ａの暖房能力が不足していると判定する。ここで、上記室内入口温度および室内出口温度は、室内機熱交換器から室内機１１ａへ冷媒を送出する配管および室内機１１ａから室内機熱交換器に冷媒を送出する配管にそれぞれ設けた図示しない温度センサにより測定されるものであり、測定値はＩ／Ｆ１４１を介して判定部１４２に送信される。なお、上記所定の値は、適宜自由に設定することができる。
【００６４】
また、熱交換機から室内機へ供給される冷媒の送水系統の弁の開度に基づいて判定するようにしてもよい。例えば、室内機１１ａが冷房運転の際に、図示しない室内機熱交換器から室内機１１ａへ送出する冷媒の量を制御する弁の開度が１００％の場合、判定部１４２は、室内機１１ａの冷房能力が不足していると判定する。一方、室内機１１ａが暖房運転の際に、室内機熱交換器から室内機１１ａへ送出する冷媒の量を制御する弁の開度が１００％の場合、判定部１４２は、室内機１１ａの暖房能力が不足していると判定する。なお、上記弁の開度に関する情報は、例えば室内機制御装置１２ａにより測定され、Ｉ／Ｆ１４１を介して判定部１４２に送信される。
【００６５】
また、冷媒の温度を制御する室内機熱交換器に関する情報に基づいて判定するようにしてもよい。例えば、室内機１１ａに冷媒を供給する図示しない室内機熱交換器において、室内機１１ａに供給する冷水等の冷却系の冷媒の量を制御する冷水弁の開度が１００％の場合、判定部１４２は、室内機１１ａの冷房能力が不足していると判定する。一方、室内機１１ａに供給する温水や蒸気等の加熱系の冷媒の量を制御する温水弁の開度が１００％の場合、判定部１４２は、室内機１１ａの暖房能力が不足していると判定する。上記冷水弁および温水弁の開度に関する情報は、例えば各弁に設けた弁の開度を検出する弁開度センサにより検出され、Ｉ／Ｆ１４１を介して判定部１４２に送信される。
【００６６】
また、冷媒の温度を制御する冷却塔に関する情報に基づいて判定するようにしてもよい。例えば、室内機１１ａに冷媒を供給する図示しない室内機熱交換器において、冷水等の冷却系の冷媒を生成する冷却塔がフル稼働している際に、その冷媒の温度が所定の値よりも上昇した場合、判定部１４２は、室内機１１ａの冷房能力が不足していると判定する。一方、温水や蒸気等の加熱系の冷媒を生成する熱交換器やボイラがフル稼働している場合、判定部１４２は、室内機１１ａの暖房能力が不足していると判定する。上記冷却塔、熱交換器およびボイラの運転状況に関する情報は、それぞれに設けた出力センサ等により検出され、Ｉ／Ｆ１４１を介して判定部１４２に送信される。なお、上記所定の値は、適宜自由に設定することができる。
【００６７】
さらに、居住者の申告に基づいて判定するようにしてもよい。例えば、被空調空間２ａの居住者が暑いという意見の場合、判定部１４２は、室内機１１ａの冷房能力が不足していると判定する。一方、被空調空間２ａの居住者が寒いという意見の場合、判定部１４２は、室内機１１ａの暖房能力が不足していると判定する。上記居住者の意見は、被空調空間２ａの居住者により、被空調空間２ａに設けられた図示しないコンピュータ等に入力され、ＬＡＮを介して居住者申告システムサーバに送出される。このサーバはＩ／Ｆ１４１と接続されており、これにより、被空調空間２ａの居住者の意見が判定部１４２に送信される。
【００６８】
上述したような方法により、能力不足の室内機１１ａ〜１１ｃが存在しないと判定された場合（ステップＳ８０１：ＮＯ）、外調機制御装置１４は、ステップＳ８０１の処理に戻る。一方、能力不足の室内機１１ａ〜１１ｃが存在すると判定された場合（ステップＳ８０１：ＹＥＳ）、判定部１４２は、室内機の冷房能力が不足している室内機の台数と暖房能力が不足している室内機の台数とを比較する（ステップＳ８０２，８０３）。
【００６９】
冷房能力が不足している台数が暖房能力が不足している台数よりも多い場合（ステップＳ８０２：ＹＥＳ）、判定部１４２は、外調機１３の給気温度を下げる旨の指示をパラメータ変更部１４６に出す（ステップＳ８０４）。なお、判定部１４２は、外調機１３での熱処理に用いられる冷媒に加熱や冷却等の熱処理を行って外調機１３に供給する外調機熱交換器において、外調機１３に供給する冷水等の冷却系の冷媒の量を制御する冷水弁を強制的に開かせる旨の指示を出すようにしてもよい。また、被空調空間２ａの室温よりも外調機１３の給気温度が低い場合、外調機１３のファンのインバータ回転数を増加させる旨の指示を出すようにしてもよい。また、空気調和システム全体の熱交換器を起動させる旨の指示を出すようにしてもよい。また、外調機１３のダンパを制御し、外調機の冷房能力を高める旨の指示を出すようにしてもよい。
【００７０】
暖房能力が不足している台数が冷房能力が不足している台数よりも多い場合（ステップＳ８０２：ＮＯ、ステップＳ８０３：ＹＥＳ）、判定部１４２は、パラメータ変更部１４６に外調機１３の給気温度を上昇させる旨の指示を出す（ステップＳ３０５）。なお、判定部１４２は、上記外調機熱交換器において、外調機１３に供給する温水や蒸気等の加熱系の冷媒の量を制御する温水弁を強制的に開く旨の指示を出すようにしてもよい。また、被空調空間２ａの室温よりも外調機１３の給気温度が高い場合、外調機１３のファンのインバータ回転数を増加させるようにしてもよい。また、空気調和システム全体の熱交換器を起動させる旨の指示を出すようにしてもよい。さらに、外調機１３のダンパを制御し、外調機の暖房能力を高める指示を出すようにしてもよい。
【００７１】
冷房能力が不足している台数と暖房能力が不足している台数とが等しい場合（ステップＳ８０２：ＮＯ、ステップＳ８０３：ＮＯ）、判定部１４２は、パラメータ変更部１４６に外調機１３の給気温度を変更しない旨の指示を出す（ステップＳ８０６）。
【００７２】
パラメータ変更部１４６は、判定部１４２からの指示を受信すると、その指示を外調機給気温度設定変更ロジックに基づいて外調機１３の運転モードや設定温度の設定変更に関する制御パラメータを生成する（ステップＳ８０７）。なお、外調機給気温度設定変更ロジックは、第１の実施の形態で説明したのと同等であるので、適宜説明を省略する。
【００７３】
制御パラメータを生成すると、外調機制御装置１４は、その制御パラメータを外調機１３等に送出する。外調機１３は、受信した制御パラメータに基づいて、設定温度、運転モード等の変更を行う（ステップＳ８０８）。
これにより、本実施の形態では、外調機１３の制御パラメータを変更して、室内機２ａ〜２ｃの負荷の一部を外調機に負担させることにより、省エネルギーを実現することができる。また、負荷の平準化を図ることも可能となる。
【００７４】
なお、本実施の形態では、一例として複数の室内機１１ａ〜１１ｃにより被空調空間２ａ〜２ｃの空気調和を行う場合について説明したが、１つの室内機を設けるようにしてもよい。この場合も複数の室内機の場合と同様の動作を行わせることが可能である。
【００７５】
［第２の参考例］
次に、第２の参考例に係る実施の形態について説明する。なお、本実施の形態において、上述した第１の実施の形態および第１の参考例と同等の構成要素には、同じ名称および符号を付し、適宜説明を省略する。
【００７６】
本実施の形態にかかる空調システムの空調制御装置を適用した空気調和システムは、第１の実施の形態と同様に、ＳＡを対応する被空調空間２ａ〜２ｃに供給する室内機１１ａ〜１１ｃと、対応する室内機１１ａ〜１１ｃの運転を制御する室内機制御装置１２ａ〜１２ｃと、外気を熱処理して室内機１１ａ〜１１ｃまたは被空調空間２ａ〜２ｃに供給する外調機１３と、外調機の運転を制御する制御装置１４とを有する。
【００７７】
図９は、本実施の形態の外調機制御装置１４の構成を示すブロック図である。外調機制御装置１４は、第１の実施の形態で述べたように、コンピュータとこのコンピュータにインストールされたプログラムとから構成され、ハードウェア装置とソフトウェアが協働することによって、上記ハードウェア資源がプログラムによって制御され、Ｉ／Ｆ１４１、検出部１４３およびパラメータ変更部１４６とが実現される。このような外調機制御装置１４は、室内機１１ａ〜１１ｃおよび外調機１３の加熱、冷却または送風の何れかの運転モードを検出し、室内機１１ａ〜１１ｃと外調機１３の運転モードが互いに異なると、外調機１３の制御パラメータを変更する。
【００７８】
Ｉ／Ｆ１４１は、室内機制御装置１２ａ〜１２ａ、外調機１３、室内給気センサ、内部センサ２１ａ〜２１ｃ、排気センサ２２、外調機給気センサ２３、外気センサ２４、設定器３１ａ〜３１ｃ等と電気的に接続されており、それぞれから室内給気温度、室内温度、排気温度、外調機給気温度、設定温度、給気露点温度、排気露点温度等のデータを受信し、この受信データを必要に応じて検出部１４３に送出する。
【００７９】
検出部１４３は、外調機１３の運転モードとは異なるモードで運転している室内機１１ａ〜１１ｃが存在するか否かを検出し、この検出結果に基づく指示をパラメータ変更部１４６に送信する。
【００８０】
パラメータ変更部１４６は、検出部１４３からの指示を受信すると、この指示をその指示を外調機給気温度設定変更ロジックに基づいて外調機１３の設定温度や運転モードについての制御パラメータを生成し、外調機１３等に送信する。
【００８１】
次に、図１０を参照して、本実施の形態にかかる空気調和システムの動作について説明する。図１０は、本実施の形態の外調機制御装置１４の動作を示すフローチャートである。
まず、検出部１４３は、外調機１３の運転モードとは異なるモードで運転している室内機１１ａ〜１１ｃが存在するか否かを検出する（ステップＳ１００１）。ここで、検出部１４３による外調機１３の運転モードの判断方法について説明する。外調機１３の運転モードは、次の方法より判断される。
【００８２】
まず、外調機１３の冷水弁および温水弁の開度に基づいて判断する方法がある。ここで、冷水弁および温水弁は、第２の実施の形態でも説明したように、図示しない外調機熱交換器により熱処理がされた外調機１３に送出する際に、その冷媒の量を制御するものである。冷水等の冷却系の冷媒の量を制御するのが冷水弁、温水や蒸気等の加熱系の冷媒の量を制御するのが温水弁である。
【００８３】
外調機１３の冷水弁のみが開いている場合、検出部１４３は、外調機１３の運転モードは冷房であると判断する。一方、外調機１３の温水弁のみが開いている場合、検出部１４３は、外調機１３の運転モードは暖房であると判断する。また、冷水弁と温水弁の何れも開いていない場合、検出部１４３は、外調機１３の運転モードは送風であると判断する。
【００８４】
また、外調機１３の給気温度と外気温度に基づいて判断するようにしてもよい。外気温度よりも外調機１３の給気温度が高い場合、検出部１４３は、外調機１３の運転モードは暖房であると判断する。一方、外気温度よりも外調機１３の給気温度が低い場合、検出部１４３は、外調機１３の運転モードは冷房であると判断する。また、外気温度と外調機１３の給気温度がほぼ等しい場合、検出部１４３は、外調機の運転モードは送風であると判断する。
【００８５】
また、外調機１３の入口温度と出口温度とに基づいて判断するようにしてもよい。すなわち、外調機熱交換機から外調機１３に供給される冷媒の温度（以下、外調機入口温度という）と、外調機１３から外調機熱交換機から排出される冷媒の温度（以下、外調機出口温度という）とにより判断する。入口温度が出口温度よりも所定の値より低い場合、検出部１４３は、外調機１３の運転モードは冷房であると判断する。一方、入口温度が出口温度よりも所定の値より高い場合、検出部１４３は、外調機１３の運転モードは暖房であると判断する。また、入口温度と出口温度がほぼ等しい場合、検出部１４３は、外調機１３の運転モードは送風であると判断する。ここで、上記入口温度と出口温度は、例えば外調機熱交換器により熱処理された冷媒を外調機１３に送出する配管および外調機１３により使用された冷媒を外調機熱交換器へ送出する配管にそれぞれ設けた図示しない温度センサにより測定され、Ｉ／Ｆ１４１を介して検出部１４３に送信される。なお、上記所定の値は、適宜自由に設定することができる。
【００８６】
次に、検出部１４３による室内機１１ａの運転モードの判断方法について説明する。室内機１１ａ〜１１ｃの運転モードは、次の方法より判断される。
【００８７】
まず、室内機１１ａ〜１１ｃからの運転モードに関する信号から判断する方法がある。具体的には、室内機制御装置１２ａ〜１２ｃから室内機１１ａ〜１１ｃの運転モードに関する情報をＩ／Ｆ１４１を介して取得し、室内機１１ａ〜１１ｃにおいて冷房の運転モードの室内機の方が台数が多い場合、検出部１４３は、室内機１１ａ〜１１ｃの運転モードは冷房であると判断する。一方、暖房の冷房モードの室内機の方が台数が多い場合、検出部１４は、室内機１１ａ〜１１ｃの運転モードは暖房であると判断する。また、室内機１１ａ〜１１ｃ全ての運転モードが送風の場合、検出部１４３は、室内機１１ａ〜１１ｃの運転モードは送風であると判断する。
【００８８】
また、室内機１１ａ〜１１ｃへの送水温度に基づいて判断するようにしてもよい。第２の実施の形態でも説明したように、図示しない室内機熱交換器から室内機１１ａ〜１１ｃに冷水等の冷房系の冷媒が供給されている場合、検出部１４３は、室内機１１ａ〜１１ｃの運転モードは冷房であると判断する。一方、室内機熱交換器から室内機１１ａ〜１１ｃに蒸気や温水等の加熱系の冷媒が供給されている場合、検出部１４３は、室内機１１ａ〜１１ｃの運転モードは暖房であると判断する。また、室内機熱交換器から室内機１１ａ〜１１ｃへ供給される冷媒の温度が例えば２０〜３０℃程度の場合、検出部１４３は、室内機１１ａ〜１１ｃの運転モードは送風であると判断する。ここで、上記冷媒の温度は、室内機熱交換器により熱処理された冷媒を各室内機１１ａ〜１１ｃに送出する配管にそれぞれ設けた図示しない温度センサにより測定され、Ｉ／Ｆ１４１を介して検出部１４３に送信される。
【００８９】
また、室内機１１ａ〜１１ｃの給気温度と被空調空間２ａ〜２ｃの室内温度に基づいて判断するようにしてもよい。例えば、室内機１１ａから被空調空間２ａへの給気ＳＡの温度が被空調空間２ａ内の温度よりも低い場合、検出部１４３は、室内機１１ａの運転モードは冷房であると判断する。一方、室内機１１ａから被空調空間２ａへの給気ＳＡの温度が被空調空間２ａ内の温度よりも高い場合、検出部１４３は、室内機１１ａの運転モードは暖房であると判断する。また、室内機１１ａから被空調空間２ａへの給気ＳＡの温度と被空調空間２ａ内の温度とがほぼ同じ場合、検出部１４３は、室内機１１ａの運転モードは送風であると判断する。
【００９０】
また、室内機１１ａ〜１１ｃへ供給する冷媒の温度差に基づいて判断するようにしてもよい。すなわち、第２の実施の形態でも説明したように、室内機入口温度と室内機出口温度とにより判断する。例えば、室内機１１ａにおいて、室内機入口温度が室内機出口温度よりも所定の値より低い場合、検出部１４３は、室内機１１ａの運転モードは冷房であると判断する。一方、室内機入口温度が室内機出口温度よりも所定の値より高い場合、検出部１４３は、室内機１１ａの運転モードは暖房であると判断する。また、室内機入口温度と室内機出口温度がほぼ等しい場合、検出部１４３は、室内機１１ａの運転モードは送風であると判断する。ここで、上記室内入口温度および室内出口温度は、室内機熱交換器から室内機１１ａへ冷媒を送出する配管および室内機１１ａから室内機熱交換器に冷媒を送出する配管にそれぞれ設けた図示しない温度センサにより測定されるものであり、測定値はＩ／Ｆ１４１を介して検出部１４３に送信される。なお、上記所定の値は、適宜自由に設定することができる。
【００９１】
また、室内機熱交換器に関する情報に基づいて判断するようにしてもよい。例えば、室内機１１ａ〜１１ｃに冷媒を供給する図示しない室内機熱交換器において、室内機１１ａ〜１１ｃに供給する冷水等の冷却系の冷媒の量を制御する冷水弁が開いている場合、検出部１４３は、室内機１１ａ〜１１ｃの運転モードは冷房であると判断する。一方、室内機１１ａ〜１１ｃに供給する温水や蒸気等の加熱系の冷媒の量を制御する温水弁が開いている場合、検出部１４３は、室内機１１ａ〜１１ｃの運転モードは暖房であると判断する。上記冷水弁および温水弁の開度に関する情報は、例えば各弁に設けた弁の開度を検出する弁開度センサにより検出され、Ｉ／Ｆ１４１を介して検出部１４３に送信される。
【００９２】
さらに、冷媒の温度を制御する冷却塔に関する情報に基づいて判定するようにしてもよい。例えば、室内機１１ａ〜１１ｃに冷媒を供給する図示しない室内機熱交換器において、冷水等の冷却系の冷媒を生成する冷却塔が稼働している場合、検出部１４３は、室内機１１ａ〜１１ｃの運転モードは冷房であると判断する。一方、室内機熱交換器において、温水や蒸気等の加熱系の冷媒を生成する熱交換器やボイラが稼働している場合、検出部１４３は、室内機１１ａ〜１１ｃの運転モードは暖房であると判断する。上記冷却塔、熱交換器およびボイラの運転状況に関する情報は、それぞれに設けた出力センサ等により検出され、Ｉ／Ｆ１４１を介して検出部１４３に送信される。
【００９３】
上述したような方法により室内機１１ａ〜１１ｃと外調機１３の運転モードとを検出し、外調機１３の運転モードと異なる運転モードの室内機１１ａ〜１１ｃが存在する場合（ステップＳ４０１：ＹＥＳ）、検出部１４３は、外調機給気温度の設定を緩和する旨の指示をパラメータ変更部１４６に出す。
【００９４】
例えば、室内機１１ａ〜１１ｃの運転モードが冷房で、外調機１３の運転モードが暖房と判断された場合、検出部１４３は、以下に示すような動作を行わせる指示をパラメータ変更部１４６に送出する。例えば、外調機１３の給気温度設定を下げる旨の指示を出す。また、外調機熱交換器により生成された加熱系の冷媒を外調機１３に供給するのを制御する温水弁を強制的に抑制する指示を出すようにしてもよい。また、外調機１３を停止させる指示を出すようにしてもよい。
【００９５】
一方、室内機１１ａ〜１１ｃの運転モードが暖房で、外調機１３の運転モードが冷房と判断された場合、検出部１４３は、以下に示すような動作を行わせる指示をパラメータ変更部１４６に送出する。例えば、外調機１３の給気温度設定を旨の指示を出す。また、外調機熱交換器により生成された冷却系の冷媒を外調機１３に供給するのを制御する冷水弁を強制的に開く旨の指示を出すようにしてもよい。また、外調機１３を停止させる旨の指示を出すようにしてもよい。
【００９６】
パラメータ変更部１４６は、検出部１４３からの指示を受信すると、その指示を外調機給気温度設定変更ロジックに基づいて外調機１３の運転モードや設定温度の設定変更に関する制御パラメータを生成する（ステップＳ１００３）。なお、外調機給気温度設定変更ロジックは、第１の実施の形態で説明したのと同等であるので、適宜説明を省略する。
【００９７】
制御パラメータを生成すると、外調機制御装置１４は、その制御パラメータを外調機１３等に送出する。外調機１３は、受信した制御パラメータに基づいて、設定温度、運転モード等の変更を行う（ステップＳ１００４）。
これにより、本実施の形態では、制御パラメータを変更することによって、モードが異なることによる無駄なエネルギー消費を抑えることができ、より効率のよい空調を行うことが可能となる。
【００９８】
なお、本実施の形態では、一例として複数の室内機１１ａ〜１１ｃにより被空調空間２ａ〜２ｃの空気調和を行う場合について説明したが、１つの室内機を設けるようにしてもよい。この場合も複数の室内機の場合と同様の動作を行わせることが可能である。
【００９９】
［第３の参考例］
次に、第３の参考例に係る実施の形態について説明する。なお、本実施の形態において、上述した第１の実施の形態および第１，第２の参考例と同等の構成要素には、同じ名称および符号を付し、適宜説明を省略する。
【０１００】
本実施の形態にかかる空調システムの空調制御装置を適用した空気調和システムは、第１の実施の形態と同様に、給気ＳＡを対応する被空調空間２ａ〜２ｃに供給する室内機１１ａ〜１１ｃと、対応する室内機１１ａ〜１１ｃの運転を制御する室内機制御装置１２ａ〜１２ｃと、外気を熱処理して室内機１１ａ〜１１ｃまたは被空調空間２ａ〜２ｃに供給する外調機１３と、外調機の運転を制御する制御装置１４とを有する。
【０１０１】
図１１は、本実施の形態の外調機制御装置１４の構成を示すブロック図である。外調機制御装置１４は、第１の実施の形態で述べたように、コンピュータとこのコンピュータにインストールされたプログラムとから構成され、ハードウェア装置とソフトウェアが協働することによって、上記ハードウェア資源がプログラムによって制御され、Ｉ／Ｆ１４１、コスト算出部１４４およびパラメータ変更部１４６とが実現される。このような外調機制御装置１４は、室内機１１ａ〜１１ｃおよび外調機１３においてそれぞれ消費するエネルギーのコストを算出し、このコストが最小になるように外調機１３の制御パラメータを変更する。
【０１０２】
Ｉ／Ｆ１４１は、室内機制御装置１２ａ〜１２ａ、外調機１３、室内給気センサ、内部センサ２１ａ〜２１ｃ、排気センサ２２、外調機給気センサ２３、外気センサ２４、設定器３１ａ〜３１ｃ等と電気的に接続されており、それぞれから室内給気温度、室内温度、排気温度、外調機給気温度、設定温度、給気露点温度、排気露点温度等のデータを受信し、この受信データを必要に応じてコスト算出部１４４に送出する。
【０１０３】
コスト算出部１４４は、室内機１１ａ〜１１ｃと外調機１３の運転コストを算出してどちらが安いか判断し、この判断結果に基づく指示をパラメータ変更部１４６に送信する。
【０１０４】
パラメータ変更部１４６は、コスト算出部１４４からの指示を受信すると、その指示を外調機給気温度設定変更ロジックに基づいて外調機１３の設定温度や運転モードについての制御パラメータを生成し、外調機１３等に送信する。
【０１０５】
次に、図１２を参照して、本実施の形態にかかる空気調和システムの動作について説明する。図１２は、本実施の形態の外調機制御装置１４の動作を示すフローチャートである。
まず、コスト算出部１４４は、室内機１１ａ〜１１ｃと外調機１３とでそれぞれ消費するエネルギーのエネルギーコストを算出し、そのエネルギーコストの差が大きいか否かを判定する（ステップＳ１２０１）。ここで、コスト算出部１４４による室内機１１ａ〜１１ｃおよび外調機１３の運転コストの判断方法について、以下に説明する。
【０１０６】
例えば、コスト算出部１４４は、季節や時間ごとにコストパラメータを予め設定しておき、現在の月日、時刻、各室内機１１ａ〜１１ｃおよび外調機１３の運転モードおよびそのパラメータの値に基づいて、室内機１１ａ〜１１ｃと外調機１３の運転コストを算出し、どちらの運転コストが安いかを判断する。ここで、コストパラメータは、予め外調機制御装置４に設定される。現在の月日や時刻等に関する情報は、空気調和システムの中央監視装置等から取得する。室内機１１ａ〜１１ｃおよび外調機１３の運転モードに関する情報は、第３の実施の形態で説明した方法等により取得する。
【０１０７】
また、コスト算出部１４４は、使用熱源、この熱源で使用しているエネルギー、室内機１１ａ〜１１ｃおよび外調機１３の運転モード、ＣＯＰ（Coefficient Of Performance）等に基づいて、エネルギーの単価から室内機１１ａ〜１１ｃおよび外調機１３の運転コストを算出し、どちらの運転コストが安いかを判断するようにしてもよい。ここで、使用熱源とは、室内機熱交換器、外調機熱交換機、熱交換機、ボイラ、冷凍機、冷却塔のことを意味する。これらの使用熱源に関する情報は、例えば、予め外調機制御装置４に記憶しておいたり、室内機１１ａ〜１１ｃおよび外調機１３から取得するようにしてもよい。室内機１１ａ〜１１ｃおよび外調機１３の運転モードに関する情報は、第３の実施の形態で説明した方法等により取得するようにしてもよい。
【０１０８】
上述したような方法により室内機１１ａ〜１１ｃと外調機１３の運転コストが算出し、室内機１１ａ〜１１ｃと外調機１３との運転コストの差が所定の値より大きい場合（ステップＳ１２０１：ＹＥＳ）、コスト算出部１４４は、室内機１１ａ〜１１ｃと外調機１３のどちらがコストが高いかを判定する（ステップＳ１２０２，１２０３）。
【０１０９】
外調機１３の方が運転コストが高い場合（ステップＳ１２０２：ＹＥＳ）、コスト算出部１４４は、コストを減少させるように、外調機給気温度の設定を緩和する旨の指示をパラメータ変更部１４６に出す（ステップＳ１２０４）。具体的には、外調機１３の運転モードが冷房で、室内機１１ａ〜１１ｃの運転モードが送風または冷房の場合、コスト算出部１４４は、以下に示すような動作を行わせる旨の指示をパラメータ変更部１４６に送出する。例えば、外調機１３の給気温度設定を上げる旨の指示を出す。また、外調機熱交換器により生成された冷却系の冷媒を外調機１３に供給するのを制御する冷水弁を強制的に抑制する旨の指示を出すようにしてもよい。さらに、外調機１３を停止または間欠運転させる旨の指示を出すようにしてもよい。
【０１１０】
外調機１３の運転モードが暖房で、室内機１１ａ〜１１ｃの運転モードが送風または暖房の場合、コスト算出部１４４は、以下に示すような動作を行わせる旨の指示をパラメータ変更部１４６に送出する。例えば、外調機１３の給気温度設定を下げる旨の指示を出す。また、熱交換器等により生成された加熱系の冷媒を外調機１３に供給するのを制御する温水弁を強制的に抑制する旨の指示を出すようにしてもよい。さらに、外調機１３を停止または間欠運転させる旨の指示を出すようにしてもよい。
【０１１１】
室内機１１ａ〜１１ｃの方が運転コストが高い場合（ステップＳ１２０２：ＮＯ、ステップＳ１２０３：ＹＥＳ）、コスト算出部１４４は、コストを減少させるように、外調機給気温度の設定を増強する旨の指示を出す（ステップＳ１２０５）。具体的には、外調機１３の運転モードが送風または冷房で、室内機１１ａ〜１１ｃの運転モードが冷房の場合、コスト算出部１４４は、外調機１３の給気温度設定を下げる旨の指示をパラメータ変更部１４６に送出する。また、コスト算出部１４４は、熱交換器等により生成された冷却系の冷媒を外調機１３に供給するのを制御する冷水弁を強制的に開く旨の指示を出すようにしてもよい。
【０１１２】
外調機１３の運転モードが送風または暖房で、室内機１１ａ〜１１ｃの運転モードが暖房の場合、コスト算出部１４４は、外調機１３の給気温度設定を上げる旨の指示を送出する。また、外調機熱交換器により生成された加熱系の冷媒を外調機１３に供給するのを制御する温水弁を強制的に開く旨の指示を出すようにしてもよい。
【０１１３】
外調機１３の運転モードが送風で、室内機１１ａ〜１１ｃの運転モードが冷房かつ外気冷房有効の場合、コスト算出部１４４は、外調機１３のファンのインバータ回転数を増加させる旨の指示を出す。
【０１１４】
パラメータ変更部１４６は、コスト算出部１４４からの指示を受信すると、その指示を外調機給気温度設定変更ロジックに基づいて外調機１３の運転モードや設定温度の設定変更に関する制御パラメータを生成する（ステップＳ１２０７）。なお、外調機給気温度設定変更ロジックは、第１の実施の形態で説明したのと同等であるので、適宜説明を省略する。
【０１１５】
制御パラメータを生成すると、外調機制御装置１４は、その制御パラメータを外調機１３等に送出する。外調機１３は、受信した制御パラメータに基づいて、設定温度、運転モード等の変更を行う（ステップＳ１２０８）。
これにより、本実施の形態によれば、空調システム全体としてのエネルギーコストを減少させることが可能となる。
【０１１６】
なお、室内機１１ａ〜１１ｃおよび外調機１３の運転コストの差を比較する上記所定の値は、適宜自由に設定することができる。
【０１１７】
また、本実施の形態では、一例として複数の室内機１１ａ〜１１ｃにより被空調空間２ａ〜２ｃの空気調和を行う場合について説明したが、１つの室内機を設けるようにしてもよい。この場合も複数の室内機の場合と同様の動作を行わせることが可能である。
［第２の実施の形態］
次に、本発明の第２の実施の形態について説明する。なお、本実施の形態において、上述した第１の実施の形態および第１〜第３の参考例と同等の構成要素には、同じ名称および符号を付し、適宜説明を省略する。
【０１１８】
本実施の形態にかかる空調システムの空調制御装置を適用した空気調和システムは、第１の実施の形態と同様に、ＳＡを対応する被空調空間２ａ〜２ｃに供給する室内機１１ａ〜１１ｃと、対応する室内機１１ａ〜１１ｃの運転を制御する室内機制御装置１２ａ〜１２ｃと、外気を熱処理して室内機１１ａ〜１１ｃまたは被空調空間２ａ〜２ｃに供給する外調機１３と、外調機の運転を制御する制御装置１４とを有する。
【０１１９】
図１１は、本実施の形態の外調機制御装置１４の構成を示すブロック図である。外調機制御装置１４は、第１の実施の形態で述べたように、コンピュータとこのコンピュータにインストールされたプログラムとから構成され、ハードウェア装置とソフトウェアが協働することによって、上記ハードウェア資源がプログラムによって制御され、Ｉ／Ｆ１４１、除湿判断部１４５およびパラメータ変更部１４６とが実現される。このような外調機制御装置１４は、室内機１１ａ〜１１ｃによる除湿の状態と外調機１３による除湿の状態とを比較し、何れか一方が他方より過剰に除湿を行う過除湿の状態にあるか否かを判定し、室内機１１ａ〜１１ｃおよび外調機１３の何れか一方が過除湿の状態にあると判定されると、外調機１３の制御パラメータを変更する。
【０１２０】
Ｉ／Ｆ１４１は、室内機制御装置１２ａ〜１２ａ、外調機１３、室内給気センサ、内部センサ２１ａ〜２１ｃ、排気センサ２２、外調機給気センサ２３、外気センサ２４、設定器３１ａ〜３１ｃ等と電気的に接続されており、それぞれから室内給気温度、室内温度、排気温度、外調機給気温度、設定温度、給気露点温度、排気露点温度等のデータを受信し、この受信データを必要に応じて検出部１４３に送出する。
【０１２１】
除湿判断部１４５は、室内機１１ａ〜１１ｃおよび外調機１３の何れか一方が過除湿除湿中であるか否かを判断し、この判断結果に基づく指示をパラメータ変更部１４６に送信する。
【０１２２】
パラメータ変更部１４６は、除湿判断部からの指示を受信すると、この指示をその指示を外調機給気温度設定変更ロジックに基づいて外調機１３の設定温度や運転モードについての制御パラメータを生成し、外調機１３等に送信する。
【０１２３】
次に、図１４を参照して、本実施の形態にかかる空気調和システムの動作について説明する。図１４は、本実施の形態の外調機制御装置１４の動作を示すフローチャートである。
まず、除湿判断部１４５は、室内機１１ａ〜１１ｃまたは外調機１３の何れかが過除湿であるか否かを判断する（ステップＳ１４０１，１４０２）。この除湿判断部１４５による室内機１１ａ〜１１ｃおよび外調機１３の過除湿の判断方法について、以下に説明する。
【０１２４】
まず、外気露点温度と室内機１１ａ〜１１ｃおよび外調機１３の給気温度とに基づいて判断する方法がある。ここで、室内機１１ａ〜１１ｃおよび外調機１３の何れかが除湿している、すなわち外気露点温度＞排気露点温度の際に、外調機給気温度＜室内機給気温度−αの場合、除湿判断部１４５は外調機１３が過除湿であると判断する。一方、外調機給気温度＞室内機給気温度＋βの場合、除湿判断部１４５は、室内機１１ａ〜１１ｃが過除湿であると判断する。なお、上記外気露点温度は外気センサ２４に基づいて、排気露点温度は排気センサ２２に基づいてそれぞれ測定され、Ｉ／Ｆ１４１を介して除湿判断部１４５に送出される。また、α、βの値は、適宜自由に設定することができる。
【０１２５】
また、外気露点温度、外調機の給気温度に対応する露点温度（以下、外調機給気温度露点温度という）および排気露点温度に基づいて判断するようにしてもよい。ここで、室内機１１ａ〜１１ｃおよび外調機１３の何れかが除湿している、すなわち外気露点温度＞排気露点温度の際に、外調機給気温度露点温度＜排気露点温度−αの場合、除湿判断部１４５は、外調機１３が過除湿であると判断する。一方、外調機給気温度露点温度＞排気露点温度＋βの場合、除湿判断部１４５は、室内機１１ａ〜１１ｃが過除湿であると判断する。なお、上記外調機給気温度露点温度は、外調機給気センサ２３に基づいて測定差、Ｉ／Ｆ１４１を介して除湿判断部１４５に送出される。また、α、βの値は、適宜自由に設定することができる。
【０１２６】
上述した方法により過除湿の判断を行い、外調機１３が過除湿の場合（ステップＳ１４０１：ＹＥＳ）、除湿判断部１４５は、外調機給気温度を緩和する、すなわち外調機１３からの給気温度を上げる旨の指示をパラメータ変更部１４６に出す（ステップＳ１４０３）。なお、外調機熱交換器により生成された加熱系の冷媒を外調機１３に供給するのを制御する温水弁を強制的に開く旨の指示を出すようにしてもよい。
【０１２７】
室内機１１ａ〜１１ｃが除湿の場合（ステップＳ１４０１：ＮＯ、ステップＳ１４０２：ＹＥＳ）、除湿判断部１４５は、外調機給気温度を増強する、すなわち外調機１３からの給気温度を下げる旨の指示をパラメータ変更部１４６に出す（ステップＳ１４０４）。なお、外調機熱交換器により生成された冷却系の冷媒を外調機１３に供給するのを制御する冷水弁を強制的に開く旨の指示を出すようにしてもよい。
【０１２８】
室内機１１ａ〜１１ｃおよび外調機１３の何れも過除湿ではない場合（ステップＳ１４０１：ＮＯ、ステップＳ１４０２：ＮＯ）、除湿判断部１４５は、外調機１３の給気温度を変更しない旨の指示をパラメータ変更部１４６に出す（ステップＳ１４０５）。
ここで、上記過除湿の程度は、適宜自由に設定することができる。
【０１２９】
パラメータ変更部１４６は、除湿判断部１４５からの指示を受信すると、その指示を外調機給気温度設定変更ロジックに基づいて外調機１３の運転モードや設定温度の設定変更に関する制御パラメータを生成する（ステップＳ１４０６）。なお、外調機給気温度設定変更ロジックは、第１の実施の形態で説明したのと同等であるので、適宜説明を省略する。
【０１３０】
制御パラメータを生成すると、外調機制御装置１４は、その制御パラメータを外調機１３等に送出する。外調機１３は、受信した制御パラメータに基づいて、設定温度、運転モード等の変更を行う（ステップＳ１４０７）。
これにより、本実施の形態では、制御パラメータを変更して過除湿を解消することにより、無駄なエネルギー消費を抑え、より効率のよい運転と負荷の平準化とを実現することができる。
【０１３１】
なお、本実施の形態では、一例として複数の室内機１１ａ〜１１ｃにより被空調空間２ａ〜２ｃの空気調和を行う場合について説明したが、１つの室内機を設けるようにしてもよい。この場合も複数の室内機の場合と同様の動作を行わせることが可能である。
【符号の説明】
【０１３２】
１…空気調和システム、２ａ〜２ｃ…被空調空間、１１ａ〜１１ｃ…室内機、１２ａ〜１２ｃ…室内制御装置、１３…外調機、１４…外調機制御装置、２１ａ〜２１ｃ…内部センサ、２２…排気センサ、２３…外調機給気センサ、３１ａ〜３１ｃ…設定器、１４１…Ｉ／Ｆ、１４２…判定部、１４３…検出部、１４４…コスト算出部、１４５…除湿判断部、１４６…パラメータ変更部。
【図１】
2010266199.tif 000003
【図２】
2010266199.tif 000004
【図３】
2010266199.tif 000005
【図４】
2010266199.tif 000006
【図５】
2010266199.tif 000007
【図６】
2010266199.tif 000008
【図７】
2010266199.tif 000009
【図８】
2010266199.tif 000010
【図９】
2010266199.tif 000011
【図１０】
2010266199.tif 000012
【図１１】
2010266199.tif 000013
【図１２】
2010266199.tif 000014
【図１３】
2010266199.tif 000015
【図１４】
2010266199.tif 000016